(57)【要約】  本発明は、電源を有するフレームと、第１の枢動運動システム５２と、第２の枢動運動システム１５２とを含む筐体５０と、前記取り付け台６４上に設置した脱進機機構と、第１の枢動運動システム５２からの第１の１／２の心棒５４ａによって担持される第１の歯車７６ａ、及び第２の枢動運動システム１５２からの第１の１／２の心棒１５４ａによって担持される第２の歯車１７６ａとを含む第１の運動学的連結と、第１の枢動運動システム５２からの第２の１／２の心棒５４ｂによって担持される第１の歯車７６ｂ、及び第２の枢動運動システム１５２からの第１の１／２の心棒１５４ａ又は第２の１／２の心棒１５４ｂによって担持される第２の歯車１７６ｂを含む第２の運動学的連結とを備える計時器の部品に関する。その構造を簡素化するために、第２の枢動運動システムによって担持される歯車１７６ａ、１７６ｂの一方は、電源に運動学的に連結され、前記枢動運動システムによって担持される他方の歯車は、フレームに対して静止した状態である。第１の枢動運動システムによって担持される歯車は共に、その入力において受け取った回転の平均値をその出力に伝達するように設置した差動装置２００の入力に運動学的に連結される。前記出力は、脱進機に運動学的に連結される。【特許請求の範囲】
【請求項１】
−  エネルギー源を支持するフレームと、
−  第１の軸を周る第１の枢動システム（５２）であって、これを利用して支持体（６４）が台座（５０）の内側に枢動式に設置され、第１及び第２の同軸の１／２の心棒（５４ａ、５４ｂ）を備える第１の枢動システム（５２）、及び、
−  前記第１の軸に概ね直交する第２の軸を周る第２の枢動システム（１５２）であって、これを利用して前記台座（５０）が前記フレームを基準にして枢動式に設置され、第１及び第２の同軸の１／２の心棒（１５４ａ、１５４ｂ）を備える第２の枢動システム（１５２）を備える
−  台座（５０）と、
−  前記支持体（６４）上に配置される脱進機と、
−  前記第１の枢動システム（５２）の前記第１の１／２の心棒（５４ａ）によって支持される第１の歯車（７６ａ）、及び、
−  前記第２の枢動システム（１５２）の前記第１の１／２の心棒（１５４ａ）によって支持される第２の歯車（１７６ａ）を備える
−  第１の運動学的連鎖と、
−  前記第１の枢動システム（５２）の前記第２の１／２の心棒（５４ｂ）によって支持される第１の歯車（７６ｂ）、及び、
−  前記第２の枢動システム（１５２）の前記第１の１／２の心棒（１５４ａ）又は前記第２の１／２の心棒（１５４ｂ）によって支持される第２の歯車（１７６ｂ）を備える
−  第２の運動学的連鎖とを含み、
−  前記第２の枢動システムによって支持される前記歯車（１７６ａ、１７６ｂ）の一方が、前記エネルギー源と運動学的に接続され、その枢動システムによって支持される他方の歯車が、前記フレームに対して静止した状態であり、
−  前記第１の枢動システムによって支持される２つの歯車が共に、差動装置（２００）の入力と運動学的に接続され、前記差動装置はその出力において、その入力において受け取った回転の平均値を伝達するように構成されており、前記出力は、前記脱進機に運動学的に接続されていることを特徴とする計時器の部品。
【請求項２】
前記第１の運動学的連鎖と、前記第２の運動学的連鎖の駆動比が同一であることを特徴とする、請求項１に記載の計時器の部品。
【請求項３】
前記第２の運動学的連鎖の前記第２の歯車（１７６ｂ）が、前記第２の枢動システム（１５２）の前記第２の１／２の心棒（１５４ｂ）によって支持されることを特徴とする、請求項１又は２に記載の計時器の部品。
【請求項４】
前記第２の歯車（１７６ｂ）が、前記第２の枢動システム（１５２）の前記第１の１／２の心棒（１５４ａ）によって支持されることを特徴とする、請求項１又は２に記載の計時器の部品。
【請求項５】
前記差動装置（２００）のディスクの回転の軸が、前記脱進機のディスクのものと平行であることを特徴とする、請求項１から４までのいずれか一項に記載の計時器の部品。
【請求項６】
前記第１の枢動システム（５２）の前記１／２の心棒（５４ａ、５４ｂ）がさらに、前記差動装置の入力と係合したピニオン（７８ａ、７８ｂ）を含むことを特徴とする、請求項１から５までのいずれか一項に記載の計時器の部品。
【請求項７】
前記第２の枢動システムの前記歯車（１７６ａ、１７６ｂ）の一方が、前記エネルギー源に運動学的に接続されることを特徴とする、請求項１から６までのいずれか一項に記載の計時器の部品。
【請求項８】
前記エネルギー源に運動学的に接続されない前記第２の枢動システムの前記歯車が、前記フレームを基準としたブロック・システム（５０）を備えることを特徴とする、請求項７に記載の計時器の部品。
【請求項９】
前記差動装置の第１の入力及び第２の入力が、第１のサテライト（２０６ａ）及び第２のサテライト（２０６ｂ）とそれぞれ噛み合う第１の太陽歯車（２０４ａ）と、第２の太陽歯車（２０４ｂ）にそれぞれ固定され、前記サテライトが、サテライト・キャリア（２０８）上に枢動式に設置され互いに噛み合い、前記サテライト・キャリア（２０８）が、前記太陽歯車と同軸であり、前記差動装置の出力を規定することを特徴とする、請求項６から８までのいずれか一項に記載の計時器の部品。
【請求項１０】
前記サテライト・キャリア（２０８）が、一方で前記サテライト・キャリア（２０８）に運動学的に接続された脱進機ピニオン（２４２）が設けられ、他方でがんぎ車（２４４）を受けるシャフト（２４０）を利用して前記脱進機に運動学的に接続されることを特徴とする、請求項９に記載の計時器の部品。
【請求項１１】
前記シャフトが、前記支持体（６４）の中を横切り、それにより、前記脱進機の調節手段（２４６）及びパレット（２４８）が前記台座の外周部に位置決めされることを特徴とする、請求項１０に記載の計時器の部品。
【請求項１２】
前記第１の運動学的連鎖と、前記第２の運動学的連鎖がさらに、前記台座（５０）上に設置された中間歯車（８０ａ、８０ｂ）を含み、前記中間歯車が、前記第１の枢動システム（５２）及び前記第２の枢動システム（１５２）の前記歯車（７６ａ、７６ｂ及び１７６ａ，１７６ｂ）に対して概ね４５°でそれぞれ位置決めされることを特徴とする、請求項１から１１までのいずれか一項に記載の計時器の部品。
【請求項１３】
前記中間歯車（８０ａ、８０ｂ）が、円錐タイプの歯部を含み、前記第１の枢動システム（５２）及び前記第２の枢動システムの前記歯車（７６ａ、７６ｂ及び１７６ａ、１７６ｂ）がそれぞれ直線歯を有することを特徴とする、請求項１２に記載の計時器の部品。
【請求項１４】
前記第１の枢動システム（５２）及び前記第２の枢動システム（１５２）の前記歯車（７６ａ、７６ｂ及び１７６ａ、１７６ｂ）並びに前記中間歯車（８０ａ、８０ｂ）が、同じ数の歯を含むことを特徴とする、請求項１０又は１１に記載の計時器の部品。
【請求項１５】
前記差動装置（２００）の前記入力と前記サテライト・キャリア（２０８）の一つが、前記支持体（６４）上で直接枢動することを特徴とする、請求項１から１４までのいずれか一項に記載の計時器の部品。
【請求項１６】
前記脱進機がアングル脱進機であることを特徴とする、請求項１から１５までのいずれか一項に記載の計時器の部品。
【請求項１７】
前記第１の枢動システム（５２）及び前記第２の枢動システムが、単一の台座（５０）と協働することを特徴とする、請求項１から１６までのいずれか一項に記載の計時器の部品。
【請求項１８】
前記エネルギー源に接続された前記運動学的連鎖におけるエネルギーの伝達によって生じるいかなるトルクも、他方の運動学的連鎖において逆のトルクを生じさせるように構成されることを特徴とする、請求項１から１７までのいずれか一項に記載の計時器の部品。
【発明の詳細な説明】
【技術分野】
【０００１】
本発明は、機械時計学の分野に関する。より詳細には、脱進機の取り付け位置を補正するためのシステムを含み、その作動に対する前記計時器の部品の向きの変化の影響を抑えることを目指す計時器の部品に関する。計時器の部品は、エネルギー源を担持するフレームと、第１の軸を囲む第１の枢動システムを備える台座とを備え、これを利用して支持体が前記台座の内側に枢動式に設置され、第１の枢動システムは、２つの同軸の１／２の心棒を備える。脱進機もまた、この支持体上に配置される。
【０００２】
台座は、第１の軸にほぼ直交する第２の軸を周る第２の枢動システムを含んでおり、これを利用して、台座が、フレームを基準として枢動式に設置される。第２の枢動システムは、２つの同軸の１／２の心棒を備える。第１の枢動システムの１／２の心棒は、第２の枢動システムの１／２の心棒によって支持される歯車と共に第１の運動学的連鎖を形成する歯車を担持する。
【背景技術】
【０００３】
上記に記載される計時器の部品は、特に特許文献１より知られている。１つの実施例が図１に提案されている。より具体的には、この文献は、少なくとも２つの関節式に接合された支持体を備える計時器を開示しており、第１の支持体１０は、第１の軸に沿ってフレームに対して関節式に接合され、第２の支持体１２は、第１の軸に直交する第２の軸に沿って第１の支持体を基準として関節式に接合される。脱進機１４は、第２の支持体上に設置され、関節式の接合により、フレームの位置とは無関係に概ね安定した向き、好ましくはほぼ水平方向を保つことができる。「水平方向の向き」は、ディスクの面が水平であること、及びそれらのディスクの軸が垂直であることを指している。
【０００４】
この計時器は、運動学的にエネルギー源に接続され、そのエネルギーを脱進機１４にもたらす第１の伝達歯車列１６と、フレームの静止要素に接続された第２の基準歯車列１８とを備える。２つの歯車列は、平行に配列され、そのため支持体とフレームの間、又は支持体自体の間のいずれの回転も、伝達及び基準歯車列の同一の回転を生じさせる。
【０００５】
計時器はさらに、逆転器システム２０を備え、これにより伝達及び基準歯車列の最後のディスクを反対方向に回転させることが可能になる。最後に差動補正装置２２によって、支持体の全ての運動を取り消すことでエネルギー源からのエネルギーのみを脱進機にもたらすことが可能になる。実際には、伝達歯車列１６は、支持体（Ｒ）の回転に対応する運動、及びにエネルギー源（Ｅ）からのトルクによって生じる回転を差動補正装置の第１の入力にもたらす。基準歯車列１８もまた、支持体（Ｒ）の回転に対応する運動を逆転器システム２０に伝達し、逆転器システム２０は、その結果、反対の運動（−Ｒ）を差動補正装置の第２の入力に伝達する。差動補正装置は、第１の入力及び第２の入力（又は（Ｒ−Ｒ＋Ｅ）／２）の代数的な平均値を生成するように構成され、そのため、その出力には、エネルギー源からのトルクによって生じた回転のみが残る。
【先行技術文献】
【特許文献】
【０００６】
【特許文献１】国際公開第２００９／０２６７３５号
【発明の概要】
【発明が解決しようとする課題】
【０００７】
したがって支持体は、脱進機システムに加えて、２つの歯車列、即ち伝達歯車列１６と、基準歯車列１８、逆転器システム２０、及び差動補正装置２２を担持する。本発明は、支持体によって支持される部品の数を減らし、支持体が占める空間を縮小することを目指している。
【課題を解決するための手段】
【０００８】
より具体的には、本発明は、
−  エネルギー源を担持するフレームと、
−  第１の軸を周る第１の枢動システムであって、これを利用して支持体が台座の内側に枢動式に設置され、第１及び第２の同軸の１／２の心棒を備える第１の枢動システム、及び、
−  第１の軸にほぼ直交する第２の軸を囲む第２の枢動システムであって、これを利用して台座がフレームに対して枢動式に設置され、第１及び第２の同軸の１／２の心棒を備える第２の枢動システムを備える
−  台座と、
−  支持体上に配置される脱進機と、
−  第１の枢動システムの第１の１／２の心棒によって支持される第１の歯車、及び、
−  第２の枢動システムの第１の１／２の心棒によって支持される第２の歯車を備える
−  第１の運動学的連鎖と、
−  第１の枢動システムの第２の１／２の心棒によって支持される第１の歯車、及び、
−  第２の枢動システムの第１又は第２の１／２の心棒によって支持される第２の歯車を備える
−  第２の運動学的連鎖と
を含む計時器に関する。
【０００９】
本発明による計時器において、第２の枢動システムによって支持される歯車の一方は、エネルギー源に運動学的に接続され、この枢動システムによって支持される他方の歯車は、フレームに対して静止した状態である。さらに第１の枢動システムによって支持される２つの歯車は、差動装置の入力と運動学的に接続され、この差動装置はその出力において、その入力において受け取った回転の平均値を伝達するように構成されており、その出力は、脱進機に運動学的に接続されている。
【００１０】
本発明の他の詳細は、以下の図面を参照して、以下の記載を読むことでより明確になるであろう。
【図面の簡単な説明】
【００１１】
【図１】現況技術による計時器の部品を示す図である。
【図２】本発明による計時器の部品の三次元図を示す図である。
【図３】本発明による計時器の部品の回転のシステムの２つの軸に沿った断面図である。
【図４】本発明による計時器の部品の回転のシステムの２つの軸に沿った断面図である。
【図５】本発明の代替形態の三次元図を提案する図である。
【発明を実施するための形態】
【００１２】
本発明に関連する要素のみが図面に示されている。当業者は、この記載が与える技術的教示をいかにしてフレーム、エネルギー源並びに時方輪列及びモーションワークを含む時計仕掛けのムーブメントに適応することでエネルギーを脱進機に届け、時間情報を表示するかをそれぞれ理解するであろう。
【００１３】
よって図面は、以下に見られるように、有利にはほぼ環状のアーマチュアによって画定されることで、その運動の中でそれが占める空間を制限する台座５０を示している。
【００１４】
この台座５０は、第１の軸Ａ−Ａを周る第１の枢動システム５２を備え、これは図３により詳細に示されている。この第１の枢動システム５２は、２つの１／２の心棒５４ａ及び５４ｂを備え、これらは軸Ａ−Ａに沿って同軸に位置決めされている。用語「１／２の心棒」は限定するものではなく、機能的に理解すべきであり、すなわち、１／２の心棒が心棒の２つの部分によって画定される構造を考慮することが可能であり、その上で次に記載される要素が枢動する。
【００１５】
以後、ａという印しは１／２の心棒５４ａの要素を指し、ｂという印しは、１／２の心棒５４ｂの要素を指す。各々の１／２の心棒５４ａ及び５４ｂは、管６２ａ及び６２ｂの端部に位置決めされた２つの軸受６０ａ及び６０ｂ上で枢動するシャフト５８ａと、５８ｂとを備える。管６２ａ及び６２ｂは、以下により詳細に記載する支持体６４上に留められている。各々の管６２ａ及び６２ｂは、その外周上に例えば玉軸受などの軸受を収容し、その内輪６８ａ、６８ｂは、管６２ａ、６２ｂ上に留められ、その外輪７０ａ、７０ｂは、台座５０の開口７２ａ、７２ｂの中に位置決めされる。ワッシャ７４ａ、７４ｂが軸受を閉鎖する。この第１の枢動システム５２によって、支持体６４が台座５０の内側で枢動することが可能になる。
【００１６】
さらに各々のシャフト５８ａ、５８ｂは、台座５０の中心を基準とした遠位端において、歯車７６ａ、７６ｂを収容し、台座５０の中心を基準とした第２の近位端においてピニオン７８ａ、７８ｂを収容する。
【００１７】
図４により詳細に示されるように、台座５０はまた、第１の軸Ａ−Ａにほぼ直交する第２の軸Ｂ−Ｂを周る第２の枢動システム１５２を含む。第２の枢動システムは、軸Ｂ−Ｂに沿って同軸に位置決めされた２つの１／２の心棒１５４ａ及び１５４ｂを備える。第２の枢動システムの１／２の心棒の構造は、上記に記載したものと同様である。第２の枢動システムの要素は、第１の枢動システムの参照番号を写した参照番号の前に１を付けることによって指定される。
【００１８】
各々の１／２の心棒１５４ａ、１５４ｂは、台座５０の開口１７２ａ、１７２ｂ内に留められた管１６２ａ、１６２ｂの端部に位置決めされた２つの軸受ブロック１６０ａ、１６０ｂ上で枢動するシャフト１５８ａ、１５８ｂを備える。各々の管１６２ａ、１６２ｂは、その外周上で例えば玉軸受などの軸受を収容し、その内輪１６８ａ、１６８ｂは、管１６２ａ、１６２ｂ上に留められ、その外輪１７０ａ、１７０ｂは、不図示のフレームの筐体内に位置決めされる。ワッシャ１７４ａ、１７４ｂが軸受を閉鎖する。この第２の枢動システムによって、台座５０がフレームに対して枢動することが可能になる。
【００１９】
さらに各々のシャフト１５８ａ、１５８ｂは、台座５０の中心を基準とした近位端において、歯車１７６ａ、１７６ｂを収容する。後でシャフト１５８ａ及び１５８ｂの遠位端に戻ることにする。
【００２０】
第１の枢動システム５２の各々の歯車７６ａ、７６ｂは、第２の枢動システムの歯車１７６ａ、１７６ｂと共に運動学的連鎖を形成する。第１及び第２の枢動システムの２つの１／２の心棒５４ａ及び１５４ａの歯車７６ａと、１７６ａの間にはこのような第１の運動学的連鎖がそれぞれ存在しており、他方の１／２の心棒５４ｂ及び１５４ｂの他方の歯車７６ｂと、１７６ｂの間には第２の運動学的連鎖が存在する。
【００２１】
有利には、このような運動学的な接続は、台座５０上に設置された中間歯車８０ａ、８０ｂによってそれぞれ行なわれる。中間歯車８０ａ、８０ｂは、それが噛み合う歯車を基準として概ね４５°で位置決めされる。このような配列によって、そのような中間歯車８０ａ、８０ｂのみが、円錐タイプの歯部を含むことが可能になり、その一方で歯車７６ａ、１７６ａ；７６ｂ、１７６ｂは、それぞれ直線歯を有する。このような歯車は全て平面的である。このような実施例は、図１に提案される現況技術の計時器の伝達及び基準連鎖の歯車同士の噛み合いの構成と比較すると特に興味深い。
【００２２】
好ましくは、第１の運動学的連鎖と、第２の運動学的連鎖の駆動比は同一であり、そのため第１の枢動システム５２の２つの１／２の心棒５４ａ及び５４ｂによって支持される歯車７６ａ、７６ｂは、支持体６４の運動によって同一速度で駆動される。１つの有利な構成では、枢動システム５２ａ及び５２ｂの歯車７６ａ、７６ｂ、１７６ａ及び１７６ｂ並びに中間歯車８０ａ及び８０ｂは、同じ数の歯を含む。それらはまた、同一の直径を有する。このような構成によって、第１の枢動システム５２の第１の１／２の心棒５４ａの歯車７６ａ及びピニオン７８ａは、その枢動システムの他方の１／２の心棒５４ｂの歯車７６ｂ及びピニオン７８ｂに面している。台座５０の中心から見ると、ピニオン７８ａ及び７８ｂは、このように同一の絶対速度で反対の回転方向に駆動されるが、歯車列によって運動学的に互いに接続されてはいない。
【００２３】
したがって台座５０を基準として軸Ａ−Ａに沿った支持体６４の相対的な回転と、フレームを基準として軸Ｂ−Ｂに沿った台座５０の相対的な回転は全て、直接又は運動学的連鎖を介してピニオン７８ａ、７８ｂに伝達される。
【００２４】
ディスクの回転軸が脱進機のディスクの回転軸と平行であるところの、このようなピニオン７８ａ、７８ｂの各々は、差動装置２００の入力と噛み合う。換言すると、枢動システム５２及び１５２のおかげで、差動装置２００は、ほぼ一定の向きを有するように、典型的にはほぼ垂直の軸に沿って設計される。より詳細には、ピニオン７８ａは、横歯の歯部を備える第１のプレート２０２ａと噛み合う。この第１のプレート２０２ａは、サテライト・キャリア２０８上に枢動式に設置された第１のサテライト２０６ａと噛み合う第１の太陽歯車２０４ａに固定される。サテライト・キャリアは、第１の太陽歯車２０４ａと同軸であり、差動装置の他の要素を基準に枢動することが可能である。サテライト・キャリア２０８は、歯部を備え、差動装置の出力を規定する。
【００２５】
並行して、ピニオン７８ｂは、横歯の歯部を備える第２のプレート２０２ｂと噛み合う。この第２のプレート２０２ｂは、サテライト・キャリア２０８上に枢動式に設置された第２のサテライト２０６ｂと噛み合う第２の太陽歯車２０４ｂに固定される。第２のサテライト２０６ｂもまた、第１のサテライト２０６ａと噛み合うように配置される。
【００２６】
このような差動装置２００の構成によって出力歯車、すなわちサテライト・キャリア２０８が、その入力において受け取った回転の平均値を伝達することが可能になる。上記で説明したピニオン７８ａ及び７８ｂの回転の方向を鑑みて、第１のプレート２０２ａ及び第２のプレート２０２ｂは、異なる方向に回転する。ピニオン７８ａ、７８ｂとプレート２０２ａ、２０２ｂとの比率は、プレートが同一の絶対速度で回転するように計算される。よって、差動装置２００の出力において、特殊な逆転器を使用せずに支持体６４の運動に起因する回転が互いに打ち消し合い、本発明によって提案される構造が、差動装置２００の入力において２つの対向する回転を直接生成する。
【００２７】
提案される構成によって差動装置をかなりコンパクトにすることが可能になることに留意されたい。その構成のおかげで、それは支持体６４の空洞内に容易に収容することができる。このような空間の改善によって、差動装置２００の要素の枢動作用を向上させる可能性が提供される。実際、その対応する軸が差動装置の中心に位置する第１のプレート２０２ａが、軸受ブロック２１０上で枢動する場合、第２のプレート２０２ｂ及びサテライト・キャリア２０８は、支持体６４のこの目的のための開口内に留められた例えば玉軸受などの軸受２１２及び２１４上でそれぞれ枢動する。
【００２８】
第１のプレート２０２ａの軸２０９ａはこのように、典型的には石によって形成される２つの軸受ブロック２１０（一方は、支持体６４によって支持されるバー２１６の中に入るようにされ、他方は、典型的には管の中に挿入されたねじ２２０によって、これもまた支持体６４上に留められた管２１８の中に入るようにされる）の間に枢動式に設置される。
【００２９】
第２のプレート２０２ｂは、ハブ２２２に固定され、これは第２のプレートの軸２０９ｂが中を通過する中心開口を備える。第２のプレートの軸２０９ｂは、その中心開口の中で調節され、第１のプレートの軸２０９ａが中を自由に通過する。第２のプレートの軸２０９ｂは、ハブ２２２の側面によって溝を画定する鍔２２４を有する。玉軸受２１２の内輪２２６は、溝の中で調節され、その軸受の外輪２２８は、支持体６４の付加的なバー２３０上に留められる。第２のプレート２０２ｂはこのように、その軸２０９ｂの外側から回転するように誘導される。したがって、差動装置の第２の入力は、支持体６４上で直接枢動する。
【００３０】
さらにサテライト・キャリア２０８は、中心開口を備えており、その内側に軸受２１４の外輪２３２が留められる。内輪２３４は、支持体６４と、管２１８に含まれる鍔２３６とによって画定される溝の中に位置決めされる。サテライト・キャリア２０８はこのように、支持体６４上で直接枢動する。軸受２１４は、支持体６４の空洞の底部に対してわずかに高くなっており、そのためサテライト・キャリア２０８がそれをこすることはない。差動装置のこのような構造によって、異なる要素の作動条件を改善することが可能になる。得られる出力は、極めて良好である。
【００３１】
１／２の心棒の一方によって支持される歯車の一方は、エネルギー源に運動学的に接続される。提案される実例において、時方輪列と係合し、これにより、エネルギー源から差動装置２００の入力の一方（この場合第１のプレート２０２ａ）にトルクをもたらすことを可能にするのは第２の枢動システムのシャフト１５８ａの遠位端に位置するピニオン１７８ａである。差動装置２００の他方の入力は、エネルギー源から生じるトルクを受け取ることはない。上記で言及したように差動装置２００が、このような入力において受け取った回転の平均値を取り込み、支持体６４の運動に起因する回転が互いに打ち消し合うことを考えると、差動装置２００の出力、すなわちサテライト・キャリア２０８はしたがって、エネルギー源によって与えられるトルクによって誘発された回転のみを伝達する。
【００３２】
サテライト・キャリア２０８は、脱進機に運動学的に接続され、特に図４に見ることができるように、一方にサテライト・キャリア２０８と噛み合う脱進機ピニオン２４２が設けられ、他方でがんぎ車２４４を受けるシャフト２４０を利用している。シャフト２４０は、支持体６４の中を通過するため、調節手段２４６及びパレット２４８が、ブリッジの上部側に位置し、ユーザが見ることができるように台座の周辺部に位置している。システムのコンパクト性を改善するために、脱進機はアングル形であり、すなわち調節手段２４６、パレット及びがんぎ車の軸は整列されない。これにより、調節手段の軸と、がんぎ車の軸を併せてより近づけるようにすることが可能になる。
【００３３】
１／２の心棒１５４ｂ、すなわちエネルギー源に接続されたものと反対側の第２の枢動システムの１／２の心棒は、フレームを基準としたブロック・システムを含むことに留意されたい。正方形の又はブレーキ・レバー２５０をシャフトに留めることができ、その回転は、フレーム内で阻止される。支持体６４の回転はこのように、差動装置に確かに伝達される。
【００３４】
脱進機の水平方向の維持を助けるために、支持体６４を有利にはバラスト安定させることができる。それは、枢動システムの軸に対して下方レベルに位置付けされた不均衡性を規定し、支持体６４及び台座５０の配向に加担する。このシステムによってより一般的には、その向きが水平方向でないこともあるフレームの位置とは関係なく、脱進機の一定の向きを保つことが可能になることに留意されたい。
【００３５】
よって上記に記載する計時器によって、現況技術に対して構造を最適化することが可能になる。逆転器システムを使用せずに打ち消される支持体６４の運動に関連した種々の回転運動のみならず、付加的に構造が簡素化及び改善され、台座５０のサイジングを抑えることを可能にすることもできる。これは特に、複数のパラメータを組み合わせたことに起因している。
【００３６】
差動装置２００を脱進機のディスクの軸に平行な軸に沿って配置することによって、台座５０の直径を縮小することが可能になる。実際、図１は、差動装置の軸がかつては脱進機のディスクの軸に直交していたことを示している。
【００３７】
さらに、アングル脱進機の使用もやはりプラスの効果を有する。このような配列は、バーが、そのサイズ及び自由空間によって、この組み合わせの要素の中心合わせを比較的簡素に位置決めすることを可能にする作用面を有するという事実によって可能になる。
【００３８】
さらに台座５０及びその枢動手段の構造もまた、改善の一因である。実際、２つの軸Ａ−Ａ及びＢ−Ｂに沿った枢動作用は、単一の台座５０を使用して行なわれる。第１の枢動システム５２は、台座５０と、支持体６４の間の境界面として機能する。それは、台座５０の内側に位置決めされる。第２の枢動システムは、台座５０とフレームの間の境界面として機能する。それは、台座５０の外側に位置決めされる。よって、台座５０は、２対の開口７２ａ、７２ｂと、１７２ａ、１７２ｂを含み、各々の対がそれぞれ、軸Ａ−Ａと、Ｂ−Ｂの一方に位置している。軸Ａ−Ａに関して、開口７２ａ、７２ｂは、軸受の外輪７０ａ、７０ｂに固定され、軸Ｂ−Ｂに関して、開口１７２ａ、１７２ｂは、軸受の内輪１６８、１６８に固定される。
【００３９】
図５は、本発明による計時器の部品の一代替形態を提案している。読み手の理解及び２つの代替形態の比較を容易にするために、同一の又は同様の要素は、同一の参照番号を使用する。第１の枢動システムの１／２の心棒５４ａ及び１／２の心棒５４ｂによってそれぞれ支持される歯車７６ａ及び７６ｂは、上記に記載されるものと同様に差動装置２００の第１の入力と、第２の入力にそれぞれ接続される。
【００４０】
第１の代替形態と同様に、歯車７６ａは、第２の枢動システム１５２の第１の１／２の心棒１５４ａによって支持される第１の歯車１７６ａと共に第１の運動学的連鎖を形成する。提案される実施例では、歯車１７６ａは、以下に記載されるようにエネルギー源に接続される。
【００４１】
歯車７６ｂは、この場合、第２の枢動システム１５２の第１の１／２の心棒１５４ａと同軸である第２の歯車１７６ｂと共に第２の運動学的連鎖を形成する。提案される実施例では、歯車１７６ｂは、フレームに対して静止状態である。換言すると、２つの歯車１７６ａ及び１７６ｂは、第１の１／２の心棒１５４ａ上に同軸に位置決めされるが、互いに対して且つ台座５０に対して自由に回転するように設置されており、歯車１７６ｂは、フレームに対して静止した状態である。
【００４２】
よって、第１の１／２の心棒１５４ａ上には、エネルギー源に運動学的に接続され、歯車１７６ａに回転するように固定されたピニオン１７８ａが存在する。歯車１７６ａ及び１７６ｂの機能を逆にし、歯車１７６ｂをエネルギー源に動的に接続させ、歯車１７６ａをフレームに対して静止状態となることも可能であることに留意されたい。この実施例において、第２の１／２の心棒１５４ｂは、フレームに対する台座５０の簡素な枢動システムである。
【００４３】
図５に提案され、非制限的な実例において、歯車１７６ａ及び１７６ｂは、台座５０の壁のいずれかの側に位置決めされる。上記に記載したものと同様の構成によると、歯車１７６ａは、歯車７６ａと係合する中間歯車８０ａと噛み合い、その一方で歯車１７６ｂは、歯車７６ｂと係合する中間歯車８０ｂと噛み合う。適用可能であれば、台座５０は、運動学的連鎖のディスクの変速装置を自由な状態のままにするように構成される。これによって、この代替形態は最初のものよりわずかにコンパクト性に欠ける。提案される実例において、歯車１７６ａ及び１７６ｂは、異なるサイズを有することにも留意されたい。しかしながら好ましくは、第１の枢動システム５２の２つの１／２の心棒によって支持される歯車７６ａ及び７６ｂの駆動比は同一であり、そのためそれらは、支持体６４の運動によって同一の絶対速度で駆動される。第１の枢動システム５２及び第２の枢動システム１５２の歯車７６ａ、７６ｂと、１７６ａ、１７６ｂ、並びに、中間歯車８０ａ、８０ｂは、同じ数の歯を含むことを実現することも可能である。
【００４４】
上記の２つの代替形態において、差動装置において歯車比を適応させることによって、すなわち一方で第１の入力と出力間で、他方で第２の入力と出力間で異なる歯車比を有することによって、台座の運動が差動装置によって確実に相殺されることによって、歯車７６ａ及び７６ｂが、同一の速度で駆動されないことを実現することも可能である。
【００４５】
よって提案されているのは、その動作が、その向きの変化の影響に束縛されない計時器の部品であり、これは現況技術に対して改善された構造を有する。提案されるシステムの利点の１つは、それが自動均衡であることにも留意されたい。実際、エネルギー源に接続された運動学的連鎖におけるエネルギーの伝達によって誘発されるいかなるトルクも、他方の運動学的連鎖において逆のトルクを生じさせる。よって台座が、軸Ｂ−Ｂに沿って垂直方向の位置にあったならば（この場所で、釣り合い重りは台座を均衡させることはできない）、この自動均衡作用によって、最初から台座が軸Ｂ−Ｂの周りで回転するのを阻止することが可能になる。本記載は、単に本発明の例示として提供された。詳細には、運動学的連鎖の中間歯車に関して、一方で歯車７６ａ及び１７６ａを、他方で歯車７６ｂ及び１７６ｂを直接接続することを考慮する、或いはそれどころか中間歯車の数を増やすことも至極可能である。
【図１】
2014533842.tif 000002
【図２】
2014533842.tif 000003
【図３】
2014533842.tif 000004
【図４】
2014533842.tif 000005
【図５】
2014533842.tif 000006
【国際調査報告】
2014533842.tif 000007
2014533842.tif 000008
2014533842.tif 000009
2014533842.tif 000010